(57)【要約】【課題】フォーム用紙搬送装置において、フォーム用紙の伸縮に対応できるピンベルトを得ること。【解決手段】フォーム用紙搬送装置は、ゴム製平ベルトと、ゴム製平ベルトの長手方向にそって所定のピッチで取り付けられた紙送りピン集合体と、円周方向にそって所定のピッチで穴を開けられた駆動プーリと、円周方向にそって所定の幅および深さの溝を設けられたテンション・プーリとからなる。紙送りピン集合体は紙送りピンと、ピン固定座と、締付けナットとからなる。紙送りピンはゴム製平ベルトの外側に突出する頭部と、ゴム製平ベルトの内側に突出するネジ部と、それらの中間にあるフランジ部とからなる。ピン固定座がゴム製平ベルトの内側から紙送りピンのネジ部に嵌合し、締付けナットが紙送りピンのネジ部に螺合して紙送りピンをゴム製平ベルトに固定し、ピンベルトを構成する。【選択図】    図１
2004250126.tif 000002
【特許請求の範囲】
【請求項１】
ゴム製平ベルトと、該ゴム製平ベルトの長手方向にそって所定のピッチで取り付けられた紙送りピン集合体と、円周方向にそって所定のピッチで穴を開けられた駆動プーリと、円周方向にそって所定の幅および深さの溝を設けられたテンション・プーリとからなる、フォーム用紙搬送装置。
【請求項２】
前記紙送りピン集合体は紙送りピンと、ピン固定座と、締付けナットとからなり、前記紙送りピンは前記ゴム製平ベルトの外側に突出する頭部と、前記ゴム製平ベルトの内側に突出するネジ部と、それらの中間にあるフランジ部とからなり、前記ピン固定座が前記ゴム製平ベルトの内側から前記紙送りピンのネジ部に嵌合し、前記締付けナットが前記紙送りピンのネジ部に螺合して前記紙送りピンを前記ゴム製平ベルトに固定し、ピンベルトを構成する、請求項１に記載のフォーム用紙搬送装置。
【請求項３】
前記紙送りピンのピッチと前記駆動プーリの穴のピッチとがほぼ等しく設定され、前記駆動プーリの円周方向に開けられた穴が前記紙送りピン集合体の下端部を受ける、請求項１に記載のフォーム用紙搬送装置。
【請求項４】
前記テンション・プーリの溝の幅および深さが前記ピン集合体の下端部の幅および高さにほぼ等しく設定されている、請求項１に記載のフォーム用紙搬送装置。
【請求項５】
前記駆動プーリと前記テンション・プーリとの軸間距離Ｒに対して、前記ゴム製平ベルトが±０．３−０．５％の範囲で長手方向に伸縮可能に設定されている、請求項１に記載のフォーム用紙搬送装置。
【発明の詳細な説明】
【０００１】
【発明の属する技術分野】
本発明は、連続コレータにおけるピンベルトを用いたフォーム用紙搬送装置に関するものである。
【０００２】
【従来の技術】
従来、連続コレータにおけるフォーム用紙搬送装置に用いられるピンベルトは、鋼製平ベルトに所定ピーッチ（例えば、１インチ）ごとに用紙送りピンを取り付けている。鋼製平ベルトは長手方向に伸縮をしないため、フォーム用紙の長手方向伸縮に対応できない。したがって、フォーム用紙送りに支障を来す場合があった。
【０００３】
従来の特殊な無端ベルトコンベアとしては、下記の先行技術文献１がある。
【０００４】
【先行技術文献】
先行技術文献１「特開平６−２６３２２３号公開公報」
【０００５】
先行技術文献１に開示された無端ベルトコンベアにおいては、合成材料からなる薄いベルトの長手方向縁部にそって一定ピッチで穴を開け、駆動プーリの対応する外周縁部に植込みボルトを設け、植込みボルトがベルトの穴に係合し、ベルトを破損することなく容易に駆動する。この無端ベルトは紙送りを目的としていないので、ベルト側にピンが取り付けられていない。
【０００６】
【発明が解決しようとする課題】
本発明は、フォーム用紙搬送装置において、フォーム用紙の伸縮に対応できるピンベルトを得ることを課題にしている。
【０００７】
【課題を解決するための手段】
フォーム用紙搬送装置は、ゴム製平ベルトと、ゴム製平ベルトの長手方向にそって所定のピッチで取り付けられた紙送りピン集合体と、円周方向にそって所定のピッチで穴を開けられた駆動プーリと、円周方向にそって所定の幅および深さの溝を設けられたテンション・プーリとからなる。
【０００８】
紙送りピン集合体は紙送りピンと、ピン固定座と、締付けナットとからなる。紙送りピンはゴム製平ベルトの外側に突出する頭部と、ゴム製平ベルトの内側に突出するネジ部と、それらの中間にあるフランジ部とからなる。ピン固定座がゴム製平ベルトの内側から紙送りピンのネジ部に嵌合し、締付けナットが紙送りピンのネジ部に螺合して紙送りピンをゴム製平ベルトに固定し、ピンベルトを構成する。
【０００９】
紙送りピンのピッチと駆動プーリの穴のピッチとがほぼ等しく設定され、駆動プーリの円周方向に開けられた穴が紙送りピン集合体の下端部を受ける。テンション・プーリの溝の幅および深さが紙送りピン集合体の下端部の幅および高さにほぼ等しく設定される。駆動プーリとテンション・プーリとの軸間距離Ｒに対して、ゴム製平ベルトが±０．３−０．５％の範囲で長手方向に伸縮可能に設定される。
【００１０】
【発明の実施の形態】
図１−９を参照して、本発明のフォーム用紙搬送装置の一実施例について説明する。
【００１１】
図１−４に最もよく示すように、フォーム用紙搬送装置１０は、ゴム製平ベルト１と、ゴム製平ベルト１の長手方向にそって所定のピッチＰ１で取り付けられた紙送りピン集合体２０と、円周方向にそって所定のピッチＰ２で穴４３を開けられた駆動プーリ４と、円周方向にそって所定の幅Ｗおよび深さＤの溝５１（図７）を設けられたテンション・プーリ５とからなる。
【００１２】
ゴム製平ベルト１は、通常のゴムベルトに使用されるゴム材料からなる。ゴム製平ベルト１の両端は、図４に示すように互いに逆向きにスカイバー加工によってテーパ部分１１、１２が形成され、フォーム用紙搬送装置に組み付けるさいにテーパ部分が互いに接着されて無端ベルトを構成する（図２）。図３に示すように、ゴム製平ベルト１には紙送りピン集合体２０を取り付けるための穴１３が所定のピッチＰ１で開けられる。ゴム製平ベルト１に穴１３を開けるさいには、室内湿度に十分に注意する必要がある。
【００１３】
紙送りピン集合体２０は、図８―１０に示すように、紙送りピン２と、ピン固定座３と、締め付けナット６とからなる。紙送りピン２は、図８に示すように、ゴム製平ベルト１の外側に突出する頭部２１と、ゴム製平ベルト１の内側に突出するネジ部２２と、それらの中間にあるフランジ部２３とからなる。ピン固定座３は、図９に示すように、頂部に向かって緩いテーパの付いた円錐台部分３１と、円筒部分３２と、中央穴３３とからなる。
【００１４】
図１０に示すように、紙送りピン２のネジ部２２がゴム製平ベルト１の穴１３に挿入され、フランジ部２３で止まる。次いで、ピン固定座３をゴム製平ベルト１の内側から紙送りピン２のネジ部２２に嵌合させる。このとき、ピン固定座３の穴３３からネジ部２２が突出し、そこに締付けナット６が螺合する。このようにして、紙送りピン２がゴム製平ベルト１に固定され、ピンベルトを構成する。
【００１５】
図５、６は、駆動プーリ４を示す。駆動プーリ４は、フランジ部４１とボス部４２とからなる。フランジ部４１の円周方向にそって所定のピッチＰ２で穴４３が設けられている。紙送りピン２のピッチＰ１と駆動プーリ４の穴４３のピッチとがほぼ等しく設定される。例えば、ピッチＰ１、Ｐ２を２５．２ｍｍ（公称１インチ間隔よりも若干小さい）に設定することが好ましい。したがって、紙送りピン集合体２０の下端部（紙送りピン２のネジ部２２、ピン固定座３、締付けナット６）が駆動プーリ４の穴４３に係合できる。ピン固定座３の円錐台部分３１は、その係合を円滑にする作用をする。
【００１６】
図７は、テンション・プーリ５を示す。テンション・プーリ５の溝５１の幅Ｗおよび深Ｄさがピン固定座３の幅および高さにほぼ等しく設定される。したがって、紙送りピン集合体２０の下端部（紙送りピン２のネジ部２２、ピン固定座３、締付けナット６）がテンション・プーリ５の溝５１に係合できる。ピン固定座３の円錐台部分３１は、その係合を円滑にする作用をする。
【００１７】
駆動プーリ４とテンション・プーリ５との軸間距離Ｒ（図１）に対して、ゴム製平ベルト１が±０．３−０．５％の範囲で長手方向に伸縮可能に設定される。例えば、両プーリ間の軸間距離Ｒが１５００ｍｍのとき、ゴム製平ベルト１の伸縮量を±７ｍｍに設定することが好ましい。
【００１８】
ゴム製平ベルト１は、駆動プーリ４とテンション・プーリ５とに掛け渡される。駆動プーリ４が回転すると、ゴム製平ベルト１に取り付けた、紙送りピン集合体２０の下端部が駆動プーリ４の穴４１に係合し、ゴム製平ベルト１の送りを滑りなしに確実に行う。テンション・プーリ５の溝５１が紙送りピン集合体２０の下端部と係合し、ベルトの横ずれを防止する。また、テンション・プーリ５は、軸間距離方向に移動することによって、ゴム製平ベルト１の長手方向伸縮を吸収する働きもする。
【００１９】
ゴム製平ベルト１に取り付けた紙送りピン２の頭部２１はフォーム用紙（図示せず）に開けられた穴に係合し、フォーム用紙を確実に送る。フォーム用紙が長手方向に伸縮した場合、テンション・プーリ５を軸間距離方向に微調整移動し、フォーム用紙の伸縮を吸収することができる。
【００２０】
【発明の効果】
本発明のフォーム用紙搬送装置によれば、フォーム用紙の長手方向伸縮を確実に吸収することができる。
【図面の簡単な説明】
【図１】本発明のピンベルトを用いたフォーム用紙搬送装置の概略分解斜視図である。
【図２】本発明の装置に用いるゴム製平ベルトの斜視図である。
【図３】図２に示すゴム製平ベルトの展開平面図である。
【図４】図３に示すゴム製平ベルトの側面図である。
【図５】フォーム用紙搬送装置に用いる駆動プーリの縦断面図である。
【図６】図５のＶＩ―ＶＩ線から見た正面図である。
【図７】フォーム用紙搬送装置に用いるテンション・プーリの縦断面図である。
【図８】紙送りピンの側面図である。
【図９】紙送りピン固定座の側面図である。
【図１０】紙送りピン集合体がゴム製平ベルトに取り付けられた状態を示す側面図である。
【符号の説明】
１    ゴム製平ベルト                ２    紙送りピン
３    ピン固定座                    ４    駆動プーリ
５    テンション・プーリ            ６    締付けナット
１０    フォーム用紙搬送装置        １１、１２    テーパ部分
１３    穴                          ２０    紙送りピン集合体
２１    頭部                        ２２    ネジ部
２３    フランジ部                  ３１    円錐台部分
３２    円筒部分                    ３３    穴
４１    フランジ部                  ４２    ボス部
４３    穴                          ５１    溝
Ｐ１、Ｐ２    ピッチ                  Ｒ    軸間距離
Ｗ    幅                            Ｄ    深さ
【図１】
2004250126.tif 000003
【図２】
2004250126.tif 000004
【図３】
2004250126.tif 000005
【図４】
2004250126.tif 000006
【図５】
2004250126.tif 000007
【図６】
2004250126.tif 000008
【図７】
2004250126.tif 000009
【図８】
2004250126.tif 000010
【図９】
2004250126.tif 000011
【図１０】
2004250126.tif 000012